(57)【特許請求の範囲】
【請求項１】
それぞれのスィッチ・アクセス路を形成する少なくとも２つの導体路（４ａ；４ｂ；４ｃ）を有する少なくとも１つのプリント回路カード（２）を含む基部、
前記２つの導体路間に電気的接続を形成するために前記２つの導体路を押圧する閉位置と、前記２つの導体路の少なくとも一方から隔たる開位置との間を可動な少なくとも１つの導電性接触素子（１０）、
前記接触素子（１０）を支持する少なくとも１つのフレキシブル・アーム（２１）を含む接触素子支持体（１３）、
前記プリント回路カード上に装着され、電線巻線から構成される少なくとも１つのコイル（３０）を有する作動装置（３）、を有する電磁リレー（１）であって、
前記支持体（１３）が該リレーの静止部分によって支持され、前記支持体の前記フレキシブル・アーム（２１）を動かすために前記作動装置の可動部材が作用する少なくとも１つの部分を含むこと、及び、
前記支持体（１３）が、単一部品として作られていること、
ａ）前記支持体（１３）が導電性材料で作られ、前記接触素子（１０）を前記支持体（１３）から絶縁するための絶縁ブロック（１１）を支持すること、及び、前記接触素子（１０）が前記絶縁ブロック（１１）の第一の面上に堆積された導電性層を含み、該ブロックは前記第一の面とは反対にある第二の面を介して前記支持体（１３）に固定されていること、又は、
ｂ）前記支持体（１３）が導電性材料で作られ、前記接触素子（１０）を前記支持体（１３）から絶縁するための絶縁ブロック（１１）を支持すること、前記接触素子（１０）が導電性ブレード（４３）によって構成されること、及び、前記絶縁ブロック（４４）は、前記支持体及び前記ブレード上に被覆成形することによって得られること、又は
ｃ）前記支持体（１３）が絶縁材料から作られること、及び、前記接触素子（１０）が前記支持体（１３）の一領域上に堆積された導電性層（４５）を含むこと、
を特徴とする電磁リレー。
【請求項２】
前記支持体（１３）が導電性材料で作られ、前記接触素子（１０）を前記支持体（１３）から絶縁するための絶縁ブロック（１１）を支持すること、及び、接触素子（１０）が前記絶縁ブロック（１１）の第一の面上に堆積された導電性層を含み、該ブロックは前記第一の面とは反対にある第二の面を介して前記支持体（１３）に固定されていることを特徴とする請求項１の電磁リレー。
【請求項３】
前記支持体（１３）が導電性材料で作られ、前記接触素子（１０）を前記支持体（１３）から絶縁するための絶縁ブロック（１１）を支持すること、及び、
前記接触素子（１０）が導電性ブレード（４３）によって構成され、かつ、前記絶縁ブロック（４４）は、前記支持体及び前記ブレード上に被覆成形することによって得られることを特徴とする請求項１の電磁リレー。
【請求項４】
前記支持体（１３）が絶縁材料から作られること、及び、
前記接触素子（１０）が前記支持体（１３）の一領域上に堆積された導電性層（４５）を含むことを特徴とする請求項１の電磁リレー。
【請求項５】
前記支持体（１３）が該リレーの前記静止部分（１５）に強固に固定された少なくとも1つの部分（１４）を含むことを特徴とする請求項１〜４のいずれか1項の電磁リレー。
【請求項６】
支持体（１３）が前記プリント回路カードの２つのスィッチ・アクセス路にそれぞれが関連する複数の接触素子（１０）を支持することを特徴とする請求項１〜５のいずれか１項の電磁リレー。
【請求項７】
前記可動部材が前記プリント回路カードの平面に平行な（Ｙ）軸の周りを枢動するのに適した接極子（３１）を含むことを特徴とする請求項１〜６のいずれか１項の電磁リレー。
【請求項８】
前記支持体（１３）が単一部品として作られることを特徴とする請求項１〜７のいずれか１項の電磁リレー。
【請求項９】
前記プリント回路カード（２）が前記少なくとも１つのコイル（３０）に電気的に接続された少なくとも１つの電力供給導体路（８ａ−８ｄ）を有することを特徴とする請求項１〜８のいずれか１項の電磁リレー。
【請求項１０】
前記接続が、前記プリント回路カードに在る孔（９）に固定された接続部材（３９）を介して行われることを特徴とする請求項９の電磁リレー。
【請求項１１】
前記接続部材（３９）が、前記コイル（３０）の端子（３６）が係合できるスロット（４０）を有するピンを含むことを特徴とする請求項１０の電磁リレー。
【請求項１２】
前記基部が、互いに積み重ねられ、かつ、一緒に結合された複数のプリント回路カード（６１）を含むことを特徴とする請求項１〜１１のいずれか１項の電磁リレー。
【請求項１３】
前記カードの導体路（６２）が、少なくとも１つの前記カードの厚さを貫通して作られためっきスルー・ホール（６３）によって相互に接続されることを特徴とする請求項１２の電磁リレー。
【請求項１４】
少なくとも１つの前記導体路（４ａ−４ｃ；８ａ−８ｄ）が、前記プリント回路カードの厚さを横断して延在する導電性ストリップ（５）に接続されていることを特徴とする請求項１〜１３のいずれか１項の電磁リレー。
【請求項１５】
前記導電性ストリップ（５）が前記プリント回路カード（２）の端面上に形成され、特に、前記プリント回路カードの端面の凹み（６）にある金属めっき面によって構成されていることを特徴とする請求項１４の電磁リレー。
【請求項１６】
前記導電性ストリップ（５）が、前記プリント回路カードにある孔の金属めっき壁によって構成されることを特徴とする請求項１４の電磁リレー。
【請求項１７】
少なくとも１つの前記導体路（４ａ−４ｃ；８ａ−８ｄ）が、ソケット（７０）に接続され、同軸ケーブル又は同軸コネクターがそのソケットに接続できることを特徴とする請求項１〜１４のいずれか１項の電磁リレー。
【請求項１８】
前記プリント回路カード（２）が、ガラスエポキシ又はセラミックを基にして作られることを特徴とする請求項１〜１７のいずれか１項の電磁リレー。
【請求項１９】
前記電磁リレーが、特に接着剤によって、前記プリント回路カードに固定されるカバー（４０）を含むことを特徴とする請求項１〜１８のいずれか１項の電磁リレー。
【請求項２０】
前記コイル（３０）が前記カード（２）から分離していることを特徴とする請求項１〜１９のいずれか１項の電磁リレー。
【請求項２１】
前記支持体の前記フレキシブル・アーム（２１）を動かすために前記作動装置の可動部分が作用する少なくとも１つの部分が、舌（２５）の形状であることを特徴とする請求項１〜２０のいずれか１項の電磁リレー。
【請求項２２】
請求項１〜２１のいずれか１項に記載の電磁リレー製造する方法であって、前記基部は、互いに積み重ねられ、一緒に結合された複数のプリント回路カードを有するものであり、
複数のプリント回路カードを切り出し、
前記カードの上に導体路をエッチングし、
前記プリント回路カードを積み重ねてスタックを形成し、
前記カードのスタックを焼成する、
工程を含むことを特徴とする方法。
【発明の詳細な説明】
【技術分野】
【０００１】
本発明は電磁リレーに関し、特に、高周波領域で使用する電磁リレーに関する。
【背景技術】
【０００２】
米国特許第４８３９６１９号は、回転子と、エラストマー層及び誘電体層を支持する磁気接極子とを含む集成体を装着したプリント回路カードのような基板を含むリレーが開示されている。誘電体層は、基板上の導体路を切り替えるのに適した導電性ストリップを有している。回転子は、基板の平面に垂直な軸の周りを回転駆動できるばかりか、その軸に沿って軸方向に動かすこともできる。回転子は、交互に回転及び並進駆動する必要があるので、そのリレーは比較的に複雑な構造となり、比較的に高い販売価格になることがある。その比較的複雑な構造は、小型で、ほんの僅かなスペースを占めるリレーを提供するのをより難しくすることがある。
【０００３】
米国特許第６０８１１７６号の開示する電磁リレーは、磁石、基部、可動接触素子、静止接触素子、及び端子接触素子のシステムを有している。基部は２個のプリント回路カードによって形成され、そのカード間に可動接触素子を受け入れるのに適したスペースを空けてある。その磁石システムは基部の上に装着されていない。
【特許文献１】米国特許第４８３９６１９号
【特許文献２】米国特許第６０８１１７６号
【特許文献３】フランス特許第２７８６６１３号
【発明の開示】
【発明が解決しようとする課題】
【０００４】
本発明は、特に、比較的に小型で、僅かなスペースを占め、かつ、比較的簡単な構造の電磁リレーを提案しようとするものである。
【課題を解決するための手段】
【０００５】
本発明は、電磁リレーであって、当該電磁リレーは、
２つのスィッチ・アクセス路を形成する少なくとも２つの導体路を有する少なくとも１つのプリント回路カードを含む基部、
２つの前記導体路間に電気接続を形成するために前記導体路を押圧する閉位置と、２つの前記導体路の少なくとも１つから離れる開位置との間を可動な少なくとも１つの導電性接触素子、
プリント回路カード上に装着され、電線の巻線からなる少なくとも１つのコイルを含む作動装置、
を有し、その作動装置は、特に、プリント回路カードの平面に垂直な軸の周りを回転する成分を含まない運動のみで接触素子を動かすことができるように構成されている。
【発明の効果】
【０００６】
本発明により、接触素子の運動は、枢軸運動又は並進運動のような単一の簡単な運動にすることができるので、作動装置は比較的簡単な構造となる。
【０００７】
プリント回路カードが作動装置の支持体として働くので、リレーの構造をさらに簡単化することができる。
【０００８】
これにより、リレーを小型にして、僅かのスペースを占め、かつ、安い販売価格とすることができる。
【０００９】
本発明のリレーは、１ギガヘルツ（ＧＨｚ）の周波数で、５ワット（Ｗ）を超える、約２００Ｗ程度の大きさでもよい、電力をスイッチするのに使用することができ、特に、約８０Ｗの電力とすることができる。
【発明を実施するための最良の形態】
【００１０】
本発明の実施の形態では、リレーは更に接触素子支持体を有し、その支持体は接触素子を支持する少なくとも１つフレキシブル・アームを有する。
【００１１】
好適には、支持体は特に舌の形状の部分を少なくとも１つ含み、その舌状部分に作動装置の可動部材が作用して支持体のフレキシブル・アームを動かすようにする。
【００１２】
そのような状況で、支持体は可動部材から独立していて、次の利点を有することができる。
【００１３】
第一に、作動装置は、特に脆弱で、かつ、汚染し易い接触素子を有していないので、作動装置の組立て、操作、及び保管を容易にする。更に、作動装置は標準的な素子によって構成でき、かつ、予め組み立てることができる。
【００１４】
作動装置は異なる型のプリント回路カード上に組み立てることもでき、異なる形状の接触素子支持体に作用することができる。
【００１５】
本発明は、異なる形状の接触素子支持体を使用する単一のプリント回路カード上に複数の作動装置を固定することもでき、従って、複雑なスィッチ・システムを作ることができ、特に、スィッチ・マトリックスを作ることができる。
【００１６】
更に、リレーの接触力及び固定力並びにスィッチング電圧を、作動装置と支持体との距離を単に変えるだけで、簡単に調整できる。
【００１７】
支持体は、リレーの静止部分に強固に固定された部分を少なくとも１つ含むことができる。
【００１８】
これにより、フレキシブル・アームが作動されたときでも、支持体とリレーの静止部分との間の摩擦を避けることができ、従って、塵埃や削り屑の形成を避けることになる。
【００１９】
本発明は、接触素子を導体路に対して精確に配置することもでき、かかる配置の再現性が向上する。
【００２０】
接触素子は作動装置の可動部材に固定されないので、リレーの又は作動装置の可動部材と静止部分との間の結合部に現われる作動クリアランスに左右されない。
【００２１】
支持体と作動装置の可動部材との間に結合があると、各スィッチング動作期間の移動部材の位置の変動は、導体路に対する接触素子の位置に変動を生じる。
【００２２】
接触素子の位置決めの再現性が向上すれば、マイクロ波特性、特に、測定及び計測に利用するために非常に重要な特性である挿入損失及び定在波比に関して優れた再現性を保証する。
【００２３】
上記の可動部材は、例えばプリント回路カードの平面に平行な軸の周りを枢動するのに適した接極子を有することができる。
【００２４】
接極子は単一部品として作ることができ、かつ／又は、ほぼ平らにすることができる。
【００２５】
支持体は、好ましくは、単一部品として作り、かつ、全体にフレキシブルである。
【００２６】
支持体は、導電材料で作ることができ、そして、支持体から接触素子を絶縁するようにされた絶縁ブロックを支持することができる。
【００２７】
これは、短絡の問題を回避することを可能にし、リレーを高周波数領域で使用するときに、容量性効果によって分布されるインピーダンスを避けることができる。
【００２８】
本発明の一実施の形態では、接触素子は絶縁ブロックの第一の面上に被着された導電層を有し、そのブロックは、第一の面と反対側にある第二の面を介して支持体に固定されている。
【００２９】
変形例として、接触素子は導電ブレードから構成され、絶縁ブロックは支持体及びブレードの上に被覆成形して得られる。
【００３０】
本発明の他の実施の形態では、支持体は絶縁材料から作成される。
【００３１】
そして、接触素子は支持体の一領域上に被着された導電層を含む。
【００３２】
概して、本発明では、支持体と摩擦する部分によって削りくずが生じやすい、支持体のオリフィスに固定された中間絶縁部を使用することなく、支持体に接触素子を接続することができる。
【００３３】
本発明の一実施の形態では、支持体はそれぞれがプリント回路カードの２つのスィッチ・アクセス路と関連する複数の接触素子を支持している。
【００３４】
一実施の形態では、接触素子はフレキシブル・アームによって支持されていないが、作動装置の可動部材によって支持される。
【００３５】
可動部材はプリント回路カードの平面に垂直に軸方向に動くのに適したロッドと、例えば、プリント回路カードの平面に平行な軸の周りを枢動するのに適した接極子とを含むことができる。
【００３６】
接触素子は開位置から閉位置へ、又はその逆に、プリント回路カード上を摺動せずに移る。
【００３７】
プリント回路カードは、前記少なくとも１つの電気コイルに電気的に接続された少なくとも１つの電力供給導体路を支持することができる。この接続は、コイルから分離された接続部材を介して、或いはコイル端子を介して、行うことができる。
【００３８】
その接続部材をプリント回路カードの孔に、具体的にははんだ付けで固定するように構成することができ、そして、コイルの端子が係合できるスロットを有するピンを含むことができる。コイルはプリント回路カードから分離することができる。
【００３９】
本発明の一実施の形態では、基部は複数のプリント回路カードを含み、これらのカードは、互いに重ねられ、一緒に結合され、カードの導体路を、少なくとも１つのカードの板厚を貫通して作られためっきスルー・ホールを介して相互に接続することができる。
【００４０】
プリント回路カードのスタックは、高周波領域で満足な性能が得られるストリップ線路型構造に形成することができる。
【００４１】
スタック内で複数のレベルに導体路を配置することにより、より複雑なスィッチ機能を行うことが可能である。
【００４２】
リレーが表面実装技術（ＳＭＴ）型の場合、少なくとも１つの導体路はプリント回路カードの板厚を横切って延在する導電性ストリップに接続することができ、そのストリップはプリントカードの端面の上に作ることができ、特に、カードの端面にある凹みにある金属めっき面で構成され、或いは、プリント回路カードを貫通する孔の金属めっき壁によって構成してもよい。
【００４３】
金属めっきストリップは、リレーカード上の導体路と、リレーを支える回路又はカード上の導体路との間にはんだ付けによって接続を作ることができるようにする。
【００４４】
そのようなはんだ付けは特に信頼性があるが、それは、同じ種類の材料から作られ、同じ熱膨張係数を示す２つのプリント回路カード間になされるからである。
【００４５】
変形として、少なくとも１つの導体路が、同軸ケーブル又は同軸コネクターを接続できるソケットに接続される。
【００４６】
プリント回路カードはガラスエポキシ又はセラミックを基に作ることができる。
【００４７】
本発明の一実施の形態では、リレーはプリント回路カードに、特に、接着剤によって、固定されるカバーを含む。カバーを所定の位置に配置するのは比較的容易にできる。
【００４８】
リレーは、単極双投接点（ＳＰＤＴ）、二極双投接点（ＤＰＤＴ）、二極三投接点（ＤＰ３Ｔ）、単極Ｎ投接点（ＳＰＮＴ）、又はＮ極Ｎ投接点（ＮＰＮＴ）型とすることができる。
【００４９】
作動装置は単安定型又は双安定型とすることができる。
【００５０】
本発明は、前述した電磁リレーを製造する方法も提供するもので、基部は互いに積重ねられ一緒に結合された複数のプリント回路カードを含み、その方法は、
複数のプリント回路カードを切り出し、
そのカード上に導体路をエッチングし、
プリント回路カードを積み重ねてスタックとし、
焼結するためにカードのスタックを焼成する、工程を含むことで特徴付けられるものである。
【００５１】
上述の方法を遂行するため、特に、いわゆる“低温焼成セラミックス”技術を使用することができる。
【００５２】
本発明は、２つのスィッチ・アクセス路を形成する少なくとも２つの導体路を有する少なくとも１つのプリント回路カードを含む基部、
前記２つの導体路間に電気的接続を形成するために前記２つの導体路を押圧する閉位置と、前記２つの導体路の少なくとも一方から離れる開位置との間を可動な少なくとも１つの導電性接触素子、
プリント回路カード上に装着され、電線巻線から構成される少なくとも１つのコイルを有する作動装置、を有する電磁リレーであって、
プリント回路カードがスィッチ・アクセス路を形成する２つの導体路から分離した少なくとも１つの電力供給導体路を有し、前記コイルがその電力供給導体路に接続されていることを特徴とする電磁リレーを提供することでもある。
【００５３】
本発明は、互いに積み重ねられて一緒に結合された複数のプリント回路カードを含み、少なくとも１つのプリント回路カードは２つのスィッチ・アクセス路を形成する少なくとも２つの導体路を有することからなる基部、
前記２つの導体路間に電気的接続を形成するために前記２つの導体路を押圧する閉位置と、前記２つの導体路の少なくとも一方から隔たる開位置との間を可動な少なくとも１つの導電性接触素子、
前記基部に装着され、電線巻線を呈する少なくとも１つのコイルを含む作動装置、を含む電磁リレーをも提供する。
【００５４】
本発明は、限定するものではない実施例の下記の詳細な説明を読み、かつ、添付の図面を詳査すれば更に明瞭に理解することができる。
【実施例】
【００５５】
図１は、本発明による電磁リレー１を示し、電磁リレー１は、エポキシガラス又はセラミックスを基にして作られたプリント回路カードによって構成される基部２、プリント回路カード２に装着するのに適した作動装置３を含んでいる。
【００５６】
そのカードは、２つの直交するＸ軸及びＹ軸によって画定される平面上に延在する。
【００５７】
説明している実施例では、カード２は上面２ａ上に３つの導体路４ａ、４ｂ、４ｃを有し、２つの導体路４ａ、４ｂはスィッチ・アクセス路の第一の対を形成し、２つの導体路４ｂ、４ｃはスィッチ・アクセス路の第二の対を形成する。
【００５８】
導体路４ａ、４ｂ、４ｃは、それぞれ一端で、カード２の端面に形成されている凹み６に金属をめっきして形成された導電性ストリップ５に接続される。
【００５９】
説明している実施例では、凹み６は、カード２の平面に垂直な軸ｚの半円柱の形状である。変形として、凹み６は、４分の１円柱の形状とすることもできる。別な変形では、導電性ストリップ５は、それぞれカード２を貫通する孔の壁に形成することができる。これらのストリップ５は、都合よくは、カード２の端部平面に形成することもできる。
【００６０】
導電性ストリップ５は、導体路４ａ−４ｃと、リレー１を支持する他のプリント回路カード上の導体路とのはんだ接続を形成するのに役立つ。
【００６１】
カード２の底面２ｂを金属で被覆して、これにより、必要に応じて、高周波数で十分な遮蔽及びより良いインピーダンス・マッチングを得ることができる。
【００６２】
カード２は電気を供給するための４つの導体路８ａ−８ｄも有し、導体路はそれぞれ一端がめっきスルー・ホール９に接続され、他端が上述した導電性ストリップ５に接続されて、導体路８ａ−８ｄを電源に接続できるようにされている。導体路４ａ＆４ｂ又は導体路４ｂ＆４ｃ間の切替えは、それぞれ２つの導電性接触素子１０によって行われ、その接触素子は、それぞれ対応する接触素子１０がそれぞれの対の導体路４ａ＆４ｂ又は導体路４ｂ＆４ｃを押し圧して、それによりその間に電気接続を形成する閉位置と、接触素子１０がその対の導体路から離れる開位置との間を可動である。
【００６３】
それぞれの接触素子１０は絶縁ブロック１１の平らな第一面に堆積された導電性材料層によって構成され、その絶縁ブロックは、第一面と反対側にあり全体にフレキシブルな導電性支持体１３に固定される面を有している。
【００６４】
支持体１３はベリリウム銅又は他の金属或いは合金で作ることができる。
【００６５】
この支持体はＹ軸方向の２つの側方部分１４を有し、側方部分はそれぞれ支持ロッド１５に係合するためのオリフィス１４ａを備えている。
【００６６】
これらの側方部分１４はＸ軸方向の中央部分１７に垂直に接続され、中央部分１７にはロッド１５に係合するためのオリフィス１７ａを中間に有している。
【００６７】
中央部分１７はオリフィス１７ａの両側に２つのスロット２０を有している。
【００６８】
支持体１３は２つのフレキシブル・アーム２１も有し、アームは、それぞれ端部分２３で延長されたＹ軸方向の略直線状部分２２を介して中央部分１７に接続されている。
【００６９】
端部分は、上部から見たときにＸ軸方向の略Ｕ形状である。
【００７０】
部分２２に接続された各アーム２１はＸ軸方向の舌状部２５を有する。
【００７１】
図１に見られるように、支持体１３はＹ軸の周りで軸対称である。
【００７２】
それぞれの絶縁ブッロク１１は最も外側のＵ形脚部２３ａに固定される。
【００７３】
記載の実施例では、絶縁ブロック１１及び対応する導電性層１０は、導電路を支持するプリント回路カードから切り出すことにより得られる。
【００７４】
ロッド１５は、その下端をカード２に形成されたオリフィス２８に固定するようにされている。
【００７５】
従来の方法で、作動装置３は２個のコイル３０を有し、各コイルは磁心の周りの電気巻線を表し、図３に見られるように記載の実施例では、接極子３１で構成される可動部材を作動する働きをする。
【００７６】
接極子３１は、Ｙ軸の周りを枢動するように作動装置３の上に装着されて、支持体１３の舌状部２５のどちらか一方を交互に押し圧でき、対応するアーム２１を曲げ、導体路４ａ＆４ｂ又は導体路４ｂ＆４ｃを相互に接続するために、接触素子１０が下方に動くようにする。
【００７７】
図示していないが、例として、接極子３１は、Ｚ軸に平行に線形に動くことができ、それぞれが支持体１３の舌状部２５の１つを押圧するようにする部材で置き換えてもよい。
【００７８】
図２に示すように、作動装置３は底部壁３３及び頂部壁３４を有し、作動装置３を支持ロッド１５に固定できるオリフィス３５を備えている。
【００７９】
記載の実施例では、各コイル３０は、外方に突き出る２つの端子３６を有している。
【００８０】
それらの端子３６は、それぞれ対応する電力供給路８ａ及び８ｄにそれぞれのピン３９を介して電気的に接続される。
【００８１】
各ピン３９はスロット４０を有し、その中にそれぞれの端子３６が係合する。
【００８２】
各ピン３９の下端は、例えば、はんだづけによって、カード２のめっきスルー・ホール９に固定される。
【００８３】
このようにして、作動装置３に、導体路８ａ−８ｄ、ピン３９、及び端子３６を介して電力が供給される。
【００８４】
このことは、特に、リレー１を更に小型にし、構成部品の数を減少させることになる。
【００８５】
図示していないが、例として、コイル３０の端子３６は、ピン３９を使用することなく、カード２の孔９に直接固定するようにする。
【００８６】
リレー１は、接着剤によってカード２に固定するのに適したカバー４２を有している。
【００８７】
変形例として、支持ロッド１５は、作動装置の底部壁３３及び頂部壁３４の少なくとも一方と一体に形成される。一般的には、作動装置３は、適切な方法で、カード２に固定することができる。
【００８８】
接触素子を支持する支持体を別な方法で作っても、本発明の範囲を超えるものではない。
【００８９】
図４は支持体１３’を示し、この支持体は、それぞれの接触素子が導電性ブレード４３から構成され、かつ、絶縁ブロック４４を支持体１３’及び導電性ブレード４３の上に被覆成形することによって得られることで、前述の支持体１３とは異なっている。
【００９０】
図５は他の実施例の支持体１３”を示し、その支持体１３”は、例えば、セラミックを基にした絶縁材料から作られる。接触素子は、端部２３の脚部２３ａの一面に堆積した導電性材料層４５から構成される。
【００９１】
図１に関して記載した実施例では、支持体はリレーの静止部分に強固に固定された部分を有している。
【００９２】
変形例として、図１６に示すように、リレーは、２つの絶縁ブロック８２を介して２つの接触素子８１を支持するフレキシブルな支持体８０を有し、その支持体８０は２つの静止スタッド８３の上に、枢動するように取り付けられる。
【００９３】
前述した実施例では、接触素子は、作動装置の可動部材によって動く全体にフレキシブルな支持体の上に作られる。
【００９４】
変形例として、接触素子を作動装置の可動部材上に直接作ることができる。
【００９５】
図６は、本発明の実施の形態の１つであるが、接触素子は、Ｘ軸の周りを枢動するのに適した２つの接極子５０の上に堆積した導電性層４６によって構成される。
【００９６】
他の変形例では、図７に示すように、接触素子を、Ｚ軸に沿って軸方向に可動なプッシャーを有する作動装置の可動部材５５によって支持することができる。
【００９７】
リレーの基部は、互いに積み重ねられて、一緒に結合された複数のプリント回路カードで構成してもよい。
【００９８】
図８乃至図１０に示すように、セラミック材料から作られた複数のプリント回路カード６１のスタック６０は、いくつかのカード６１の厚さを貫通して形成されためっきスルー・ホール６３によって相互に接続された導体路６２を支持することができる。
【００９９】
スタック６３の上部に位置する複数のカード６１は底部を有する空洞６５を画定してもよく、その底部の上にスィッチ・アクセス路を形成する導体路６２が存在する。
【０１００】
特に、複数のプリント回路カードのスタックで、より複雑なスィッチング機能を得ることが可能になる。
【０１０１】
記載の実施例では、スタックは低温焼成セラミックス技術を使用して作られる。
【０１０２】
図１１乃至１４は、スィッチ・アクセス路の可能な各種の位置を示す。
【０１０３】
図１１は、ただ１つの接触素子１０によってスィッチ可能な２つのアクセス路を有する配置を示す。
【０１０４】
図１２は、菱形に置かれた４つの接触素子によってスィッチ可能な４つのアクセス路４を有する配置を示す。
【０１０５】
図１３は、一直線上の４つの接触素子によってスィッチ可能な５つのアクセス路４を有する配置を示す。
【０１０６】
図１４は、星型に配置された５つの接触素子によってスィッチ可能な６つのアクセス路４を有する配置をしめす。
【０１０７】
勿論、本発明は前記した実施例に限定されない。
【０１０８】
前述した実施例では、リレーはＣＭＳ型である。
【０１０９】
変形例では、図１５に示すように、リレーは、それぞれが導体路４ａ−４ｂの一端に固定されたソケット７０を含むことができる。
【０１１０】
これらのソケット７０は、工具を必要とせずに同軸ケーブル又は同軸コネクターへの接続を可能にする。
【０１１１】
本出願人名義のフランス特許第２７８６６１３号に記載のソケットを本発明のリレーに使用することができる。
【０１１２】
これらのソケットは、外皮を剥いだ同軸ケーブルをプリント回路カードに接続するのに役立つ。
【０１１３】
ソケット７０はカード２に固定することができ、或いは、プレート又はハウジングによって支持することができる。プレート又はハウジングは、リレーに対して保護及び／又は強度を与えるようにも働き、かつ、リレーを装置に固定することを可能にする。それらは、電気を作動装置のコイルに供給する接続端子に対する支持体として働くこともできる。
【図面の簡単な説明】
【０１１４】
【図１】本発明による電磁リレーの部分分解略図。
【図２】作動装置をプリント回路カード上に組立て後の図１のリレーの部分略図。
【図３】図１及び図２のリレーの、カード及び作動装置の構成要素の部分略図。
【図４】本発明の２つの異なる変形例の１つの接触素子支持体を表す斜視部分略図。
【図５】本発明の２つの異なる変形例の他方の接触素子支持体を表す斜視部分略図。
【図６】本発明の変形実施例のリレーを表す図３と類似の図。
【図７】本発明の別の実施例を構成するリレーの軸方向部分断面略図。
【図８】本発明の他の実施例のリレーの基部の下から見た部分略図。
【図９】本発明の図８の実施例のリレーの基部の側面部分略図。
【図１０】本発明の図８の実施例のリレーの基部の部分平面略図。
【図１１】本発明によるリレーのスィッチ・アクセス路の配置を示す図。
【図１２】本発明によるリレーの他のスィッチ・アクセス路の配置を示す図。
【図１３】本発明によるリレーの別のスィッチ・アクセス路の配置を示す図。
【図１４】本発明によるリレーの更に他のスィッチ・アクセス路の配置を示す図。
【図１５】本発明の他の実施例のリレーの部分略図。
【図１６】本発明の他の実施例の支持体の部分略図。
【図１】
0004445961.tif 000002
【図２】
0004445961.tif 000003
【図３】
0004445961.tif 000004
【図４】
0004445961.tif 000005
【図５】
0004445961.tif 000006
【図６】
0004445961.tif 000007
【図７】
0004445961.tif 000008
【図８】
0004445961.tif 000009
【図９】
0004445961.tif 000010
【図１０】
0004445961.tif 000011
【図１１】
0004445961.tif 000012
【図１２】
0004445961.tif 000013
【図１３】
0004445961.tif 000014
【図１４】
0004445961.tif 000015
【図１５】
0004445961.tif 000016
【図１６】
0004445961.tif 000017